(57)【要約】【課題】薄型化を妨げるような空間を設けることなく、導光板が表示パネルに接触すること抑制する。【解決手段】光源装置１００は、光源５０が出射する光を出射面３ａから出射する導光板３と、導光板３を収容するリアフレーム５と、を備える。導光板３の周縁部である導光板周縁部には、表示パネル６から離れる方向へ向かう力を導光板３に発生させるための突起部２１，２２が設けられる。【選択図】図２
2015176786.tif 000002
【特許請求の範囲】
【請求項１】
画像を表示する表示パネルに取り付けられる光源装置であって、
光を出射する光源と、
出射面を有し、前記光源が出射する前記光を該出射面から出射する導光板と、
前記導光板を収容するフレームと、を備え、
前記導光板の周縁部である導光板周縁部には、前記表示パネルから離れる方向へ向かう力を該導光板に発生させるための突起部が設けられる
光源装置。
【請求項２】
前記表示パネルは、前記導光板の前記出射面側に設けられ、
前記突起部は、第１突起部および第２突起部を含み、
前記第１突起部および前記第２突起部は、前記導光板のうち前記出射面と反対側の面である反出射面の一部が、前記表示パネルから離れる方向へ向かうようにする力を、該導光板に発生させるように設けられる
請求項１に記載の光源装置。
【請求項３】
前記突起部は、第１突起部および第２突起部を含み、
前記第２突起部は、前記導光板周縁部の前記出射面を押圧するように設けられ、
前記第１突起部は、前記導光板周縁部のうち前記出射面と反対側の面である反出射面を押圧するように設けられ、
前記第１突起部により押圧される、前記反出射面の水平方向の位置である第１位置と、前記第２突起部により押圧される、前記出射面の水平方向の位置である第２位置とは異なる
請求項１または２に記載の光源装置。
【請求項４】
前記表示パネルは、前記導光板の前記出射面側に設けられ、
前記第２位置は、前記第１位置よりも、平面視における前記導光板の中央部に近い
請求項３に記載の光源装置。
【請求項５】
前記フレームの一部は、屈曲しており、
前記第１突起部は、前記フレームの一部が屈曲した部分である
請求項２から４のいずれか１項に記載の光源装置。
【請求項６】
前記光源装置は、さらに、
前記導光板の前記反出射面と前記フレームとの間に設けられ、前記導光板の前記反出射面から出射した光を前記出射面の方向へ反射させる反射シートを備え、
前記第１突起部は、前記反射シートの端部を折り返すことにより形成される
請求項２から４のいずれか１項に記載の光源装置。
【請求項７】
前記第１突起部は、前記導光板周縁部のうち前記反出射面側の一部により形成される
請求項２に記載の光源装置。
【請求項８】
前記光源装置は、さらに、
前記フレームと係合することにより、前記導光板を保持する別のフレームを備え、
前記別のフレームには、前記導光板の前記出射面側を露出させる開口が形成され、
前記第２突起部は、前記開口に接する、前記別のフレームの端部である開口側端部に形成される
請求項２から４のいずれか１項に記載の光源装置。
【請求項９】
前記光源装置は、さらに、
前記出射面から出射される光を拡散させる光学シートを備え、
前記第２突起部は、該第２突起部と前記出射面とにより前記光学シートが挟まれるように、設けられる
請求項８に記載の光源装置。
【請求項１０】
前記別のフレームは、該別のフレームの側面に加わる力を、前記第２突起部に伝達するように構成され、
前記導光板周縁部のうち、該導光板周縁部の側面側の一部により、前記別のフレームの前記側面に接触する第３突起部が形成される
請求項８または９に記載の光源装置。
【請求項１１】
前記導光板は、粘着部材により、前記フレームと接着される
請求項１から１０のいずれか１項に記載の光源装置。
【請求項１２】
平面視における前記導光板の形状は、矩形であり、
前記第１突起部および前記第２突起部は、前記矩形の１辺側に設けられる
請求項２から１１のいずれか１項に記載の光源装置。
【請求項１３】
前記第１突起部および前記第２突起部は、前記矩形の１辺側のうち、該１辺の中央部に設けられる
請求項１２に記載の光源装置。
【請求項１４】
平面視における前記導光板の形状は、矩形であり、
前記第１突起部および前記第２突起部は、前記矩形の隣り合う２辺側に設けられる
請求項２から１１のいずれか１項に記載の光源装置。
【請求項１５】
平面視における前記導光板の形状は、矩形であり、
前記第１突起部および前記第２突起部は、前記矩形の対向する２辺側に設けられる
請求項２から１１のいずれか１項に記載の光源装置。
【請求項１６】
請求項１から１５のいずれか１項に記載の光源装置を含む表示装置であって、
前記表示装置は、前記表示パネルを含み、
前記表示パネルは、前記導光板の前記出射面側に設けられ、該出射面から出射される光を使用して前記画像を表示する
表示装置。
【請求項１７】
前記表示パネルは、横電界方式の液晶表示パネルである
請求項１６に記載の表示装置。
【発明の詳細な説明】
【技術分野】
【０００１】
本発明は、光源からの光を出射する導光板を利用する光源装置および表示装置に関する。
【背景技術】
【０００２】
液晶表示装置は、液晶表示パネル、フロントフレーム、面状光源装置等から構成される。液晶表示パネルは、一対の基板と、当該一対の基板を挟むように設けられた偏光板などからなる。フロントフレームは、金属等で構成される。面状光源装置は、導光板、光学シート、ミドルフレーム、リアフレーム等から構成される。
【０００３】
従来の面状光源装置は、一般的に、導光板を、略平面状の光学シートと、リアフレームとで挟む構造を有する。
【０００４】
また、近年、液晶表示装置は、用途によって、広範囲の雰囲気温度で使用されるようになっている。そのため、液晶表示装置は、どのような雰囲気温度で使用される場合においても、良好な表示品位が求められる。また、液晶表示装置は、さらに、液晶表示装置自体の軽量化および薄型化が図られている。
【０００５】
導光板は、雰囲気温度、湿度によっては、大きな反りが生じることがある。そのため、従来の液晶表示装置の構造では、導光板が、液晶表示パネル（表示面）側に大きく反った場合、当該導光板が液晶表示パネルと接触（干渉）する場合がある。その結果、液晶表示装置の表示品位が低下する問題があった。
【０００６】
そこで、特許文献１には、反りが発生した導光板が、液晶表示パネルに接触することを抑制する技術（以下、関連技術Ａともいう）が開示されている。関連技術Ａでは、液晶表示パネルと光学シートと間に、所定サイズの空間（隙間）を設ける。これにより、導光板が、液晶表示パネル側に大きく反った場合でも、当該導光板が液晶表示パネルに接触することを抑制している。
【０００７】
また、特許文献２においても、導光板が、液晶表示パネルに接触することを抑制する技術（以下、関連技術Ｂともいう）が開示されている。関連技術Ｂでは、導光板が熱膨張した場合に、当該導光板が波状に撓むように構成される。
【先行技術文献】
【特許文献】
【０００８】
【特許文献１】特開２０００−０１９５１６号公報
【特許文献２】特開２０１２−１５６０７９号公報
【発明の概要】
【発明が解決しようとする課題】
【０００９】
しかしながら、関連技術Ａ，Ｂでは、以下の問題点がある。具体的には、関連技術Ａでは、導光板が、空間のサイズ以上に、液晶表示パネル側に大きく反った場合、導光板が液晶表示パネルに接触してしまう。また、関連技術Ａでは、空間を別途設ける必要がある。そのため、関連技術Ａでは、液晶表示装置、すなわち、表示装置の薄型化を実現できない。
【００１０】
また、関連技術Ｂでも、導光板が波状に撓むために、ある程度の空間を設ける必要がある。そのため、関連技術Ｂでも、液晶表示装置、すなわち、表示装置の薄型化を実現できない。すなわち、関連技術Ａ，Ｂでは、薄型化を妨げるような空間を設ける必要がある。なお、関連技術Ａ，Ｂの表示装置は、光を出射する光源装置が表示パネルに取り付けられたものである。
【００１１】
本発明は、このような問題を解決するためになされたものであり、薄型化を妨げるような空間を設けることなく、導光板が表示パネルに接触すること抑制することが可能な光源装置等を提供することを目的とする。
【課題を解決するための手段】
【００１２】
上記目的を達成するために、本発明の一態様に係る表示装置は、画像を表示する表示パネルに取り付けられる。前記光源装置は、光を出射する光源と、出射面を有し、前記光源が出射する前記光を該出射面から出射する導光板と、前記導光板を収容するフレームと、を備え、前記導光板の周縁部である導光板周縁部には、前記表示パネルから離れる方向へ向かう力を該導光板に発生させるための突起部が設けられる。
【発明の効果】
【００１３】
本発明によれば、光源装置は、前記光源が出射する前記光を該出射面から出射する導光板と、前記導光板を収容するフレームと、を備える。前記導光板の周縁部である導光板周縁部には、前記表示パネルから離れる方向へ向かう力を該導光板に発生させるための突起部が設けられる。
【００１４】
これにより、薄型化を妨げるような空間を設けることなく、導光板が表示パネルに接触すること抑制することができる。
【図面の簡単な説明】
【００１５】
【図１】本発明の実施の形態１に係る表示装置の平面図である。
【図２】本発明の実施の形態１に係る表示装置の断面図である。
【図３】本発明の実施の形態１の変形例１に係る表示装置の断面図である。
【図４】本発明の実施の形態１の変形例２に係る表示装置の断面図である。
【図５】本発明の実施の形態１の変形例３に係る表示装置の断面図である。
【図６】本発明の実施の形態２に係る表示装置の断面図である。
【図７】本発明の実施の形態３に係る表示装置の断面図である。
【図８】本発明の実施の形態４に係る表示装置の断面図である。
【図９】比較例に係る表示装置を説明するための図である。
【発明を実施するための形態】
【００１６】
以下、図面を参照しつつ、本発明の実施の形態について説明する。以下の説明では、同一の構成要素には同一の符号を付してある。それらの名称および機能も同じである。したがって、それらについての詳細な説明を省略する場合がある。
【００１７】
なお、実施の形態において例示される各構成要素の寸法、材質、形状、それらの相対配置などは、本発明が適用される装置の構成や各種条件により適宜変更されるものであり、本発明はそれらの例示に限定されるものではない。また、各図における各構成要素の寸法は、実際の寸法と異なる場合がある。
【００１８】
＜比較例＞
図９は、比較例に係る表示装置１０００を説明するための図である。図９（ａ）は、比較例に係る表示装置１０００の構成を示す断面図である。
【００１９】
図９（ａ）を参照して、表示装置１０００は、フロントフレーム７と、表示パネル６と、光源装置１００Ｎとを含む。フロントフレーム７は、表示パネル６および光源装置１００Ｎを保持する。表示パネル６は、例えば、液晶表示パネルである。
【００２０】
光源装置１００Ｎは、面状の形状を有する面状光源装置である。光源装置１００Ｎは、複数の光源５０と、光学シート部１Ｓと、ミドルフレーム２と、導光板３と、反射シート４と、リアフレーム５とを備える。
【００２１】
導光板３には、各光源５０が出射する光が入射される。導光板３は、入射された光を、出射面３ａから出射する。なお、導光板３は、出射面３ａと反対側の面である反出射面３ｂを有する。
【００２２】
導光板３は、透明材料により構成されている。当該透明材料は、アクリル樹脂、ポリカーボネート樹脂、ガラス等である。導光板３は、このような透明材料で構成されているため、高温度および高湿度の雰囲気では、熱膨張、吸湿等が発生する。
【００２３】
この場合、導光板３において、当該導光板３の体積が拡大する力が発生する。しかしながら、導光板３の体積の拡大が規制される構成においては、導光板３における残留応力によって、図９（ｂ）に示すように、導光板３に反りが発生する。
【００２４】
具体的には、反りを抑制するために、導光板３は、一般的に、当該導光板３に対し反出射面３ｂ側に突出するように反るための力が働くように、成型される。
【００２５】
しかしながら、比較例に係る光源装置１００Ｎの構成では、導光板３に対し、反出射面３ｂ側に突出するように反るための力が働いたとしても、反射シート４を介して、剛体であるリアフレーム５に、導光板３の反りを規制される。すなわち、反出射面３ｂ側へ突出するように反るための力の加わる方向は、リアフレーム５により、出射面３ａ側の方向に変化する。したがって、導光板３は、図９（ｂ）に示すように、空間が存在する出射面３ａ側の方向へ、突出して反る。
【００２６】
このように、導光板３が、出射面３ａ側に大きく反った場合、導光板３上に設けられた光学シート部１Ｓは、表示パネル６に接触する場合がある。この場合、表示装置１０００では、以下の状況Ｎが起こるという問題がある。
【００２７】
状況Ｎの一例は、表示パネル６のうち、光学シート部１Ｓが接触する部分において、当該接触の痕が見えるといった表示不良が発生するという状況である。状況Ｎの他の例は、表示パネル６に対し、接触による圧力が加わることにより、表示パネル６（液晶表示パネル）内の液晶の配向が乱れ、当該表示パネル６において表示ムラが発生するという状況である。
【００２８】
そこで、以下の実施の形態により、上記比較例で述べた問題を解決する。以下、この発明の実施の形態を、図に基づいて説明する。
【００２９】
＜実施の形態１＞
図１は、本発明の実施の形態１に係る表示装置２００の平面図である。図１において、Ｘ，Ｙ，Ｚ方向の各々は、互いに直交する。以下の図に示されるＸ，Ｙ，Ｚ方向の各々も、互いに直交する。以下においては、Ｘ方向と、当該Ｘ方向の反対の方向（−Ｘ方向）とを含む方向をＸ軸方向ともいう。また、以下においては、Ｙ方向と、当該Ｙ方向の反対の方向（−Ｙ方向）とを含む方向をＹ軸方向ともいう。また、以下においては、Ｚ方向と、当該Ｚ方向の反対の方向（−Ｚ方向）とを含む方向をＺ軸方向ともいう。
【００３０】
また、以下においては、Ｘ軸方向およびＹ軸方向を含む平面を、ＸＹ面ともいう。また、以下においては、Ｘ軸方向およびＺ軸方向を含む平面を、ＸＺ面ともいう。また、以下においては、Ｙ軸方向およびＺ軸方向を含む平面を、ＹＺ面ともいう。
【００３１】
図２は、本発明の実施の形態１に係る表示装置２００の断面図である。具体的には、図２は、図１のＡ１−Ａ２線に沿った表示装置２００の断面図である。表示装置２００は、例えば、液晶を利用して画像を表示する液晶表示装置である。なお、表示装置２００は、液晶表示装置に限定されず、他の方式の表示装置であってもよい。
【００３２】
図１および図２を参照して、表示装置２００は、フロントフレーム７と、表示パネル６と、光源装置１００とを含む。フロントフレーム７は、表示パネル６および光源装置１００を保持する。表示パネル６は、詳細は後述するが、光源装置１００が出射する光を使用して画像を表示する。表示パネル６は、例えば、横電界方式の液晶表示パネルである。なお、表示パネル６は、液晶表示パネルに限定されず、他の方式の表示パネルであってもよい。表示パネル６は、画像を表示する表示面６ａを有する。
【００３３】
光源装置１００は、詳細は後述するが、表示パネル６に取り付けられる。光源装置１００は、面状の形状を有する面状光源装置である。光源装置１００は、複数の光源５０と、光学シート部１Ｓと、ミドルフレーム２と、導光板３と、反射シート４と、リアフレーム５と、後述の突起部２１，２２とを備える。なお、光源装置１００が備える光源５０の数は、１であってもよい。
【００３４】
リアフレーム５は、導光板３を収容（保持）するフレームである。リアフレーム５は、金属等の剛体である。
【００３５】
ミドルフレーム２は、表示パネル６を保持する形状を有する。ミドルフレーム２と、リアフレーム５とは接続される。具体的には、ミドルフレーム２およびリアフレーム５は、ミドルフレーム２の一部とリアフレーム５の一部とが係合するように構成される。ミドルフレーム２およびリアフレーム５により、光学シート部１Ｓ、導光板３および反射シート４が保持される。
【００３６】
なお、ミドルフレーム２およびリアフレーム５により、図２の領域Ｒ１１に対応する光学シート部１Ｓの周縁部と、領域Ｒ１１に対応する導光板３の周縁部とが保持される。以下においては、導光板３の周縁部を、導光板周縁部ともいう。すなわち、領域Ｒ１１は、導光板周縁部に対応する領域である。
【００３７】
なお、フロントフレーム７には、開口Ｈ１が形成されている。開口Ｈ１は、平面視（ＸＹ面）において、表示パネル６の表示面６ａをフロントフレーム７の外部に露出させるように設けられる。
【００３８】
光源５０は、光を出射する。導光板３は、光源５０が出射した光を特定の方向へ導く。具体的には、導光板３は、出射面３ａと、反出射面３ｂとを有する。出射面３ａは、光が出射される面である。なお、ミドルフレーム２には、開口Ｈ２が形成される。開口Ｈ２は、導光板３の出射面３ａ側を、ミドルフレーム２の外部に露出させるように設けられる。
【００３９】
反出射面３ｂは、導光板３のうち出射面３ａと反対側の面である。また、反出射面３ｂは、後述の反射シート４により、光が出射されない面である。
【００４０】
導光板３には、光源５０が出射する光が入射される。導光板３は、入射された光を、出射面３ａから、Ｚ方向へ出射する。すなわち、導光板３は、光源５０が出射する光を出射面３ａから出射する。なお、表示パネル６は、導光板３の出射面３ａ側に設けられる。
【００４１】
また、図１に示すように、平面視（ＸＹ面）における導光板３の形状は、矩形である。
【００４２】
光学シート部１Ｓは、導光板３の出射面３ａ上に設けられる。光学シート部１Ｓは、複数の光学シート１から構成される。なお、光学シート部１Ｓは、１枚の光学シート１から構成されてもよい。光学シート部１Ｓは、出射面３ａから出射される光を、拡散および制御するためのシートである。すなわち、光学シート部１Ｓを構成する光学シート１は、出射面３ａから出射される光を拡散させる。
【００４３】
光学シート部１Ｓは、出射面３ａから出射される光を、表示パネル６へ出射する。表示パネル６は、出射面３ａから出射される光を使用して画像を表示する。
【００４４】
反射シート４は、導光板３のうち、反出射面３ｂ側に設けられる。反射シート４は、光を反射させるシートである。反射シート４の存在により、導光板３から−Ｚ方向へ出射した光は、反射シート４に反射して、再び、導光板３に入射する。反射シート４のＸＹ面のサイズは、導光板３のＸＹ面のサイズとほぼ等しい。詳細には、反射シート４のＸＹ面のサイズは、導光板３のＸＹ面のサイズより、わずかに大きい。
【００４５】
次に、導光板３、光学シート部１Ｓ、反射シート４、表示パネル６について詳細に説明する。
【００４６】
（導光板）
導光板３は、透明材料により構成されている。当該透明材料は、アクリル樹脂、ポリカーボネート樹脂、ガラス等である。また、導光板３の反出射面３ｂには、光散乱部（図示せず）が形成されている。当該光散乱部は、出射面３ａから光が出射されるように、導光板３に入射された光の伝播方向を乱す構造を有する。
【００４７】
光散乱部は、光を導光板３の内部に向かって反射させる反射手段として機能する。当該反射手段は、例えば、反出射面３ｂにドットを印刷することにより構成される。また、反射手段は、例えば、反出射面３ｂを粗面化してシボ面を形成することにより構成される。また、反射手段は、例えば、反出射面３ｂに、微小な球面、凸凹等を形成することにより構成される。
【００４８】
（光学シート部）
光学シート部１Ｓは、前述したように、複数の光学シート１から構成される。なお、光学シート部１Ｓは、光学シート１に限定されず、拡散シート等を組合せて構成されてもよい。また、光学シート部１Ｓは、レンズシートを拡散シートで挟み込むことにより構成されてもよい。また、輝度向上のために、光学シート部１Ｓは、プリズムの方向を最適に組み合わせた複数のレンズシートで構成されてもよい。また、光学シート部１Ｓは、光の拡散性を向上させるために、２枚以上の拡散シートで構成されてもよい。また、光学シート部１Ｓは、１枚の光学シートで構成されてもよい。なお、光源装置１００は、光学シート部１Ｓを含まない構成としてもよい。
【００４９】
（反射シート）
反射シート４は、例えば、ポリエチレン（ｐｏｌｙｅｔｈｙｌｅｎｅ）またはポリエチレンテレフタレート（ｐｏｌｙｅｔｈｙｌｅｎｅ  ｔｅｒｅｐｈｔｈａｌａｔｅ）に、硫酸バリウムまたは酸化チタンを混ぜ合わせた材料で構成される。
【００５０】
なお、反射シート４は、例えば、樹脂に微細な気泡を形成した材料で構成されてもよい。また、反射シート４は、例えば、金属板に銀を蒸着した材料で構成されてもよい。また、反射シート４は、例えば、金属板に、酸化チタンを含む塗料を塗布した材料で構成されてもよい。
【００５１】
反射シート４の反射率は、反射面での反射ロスを抑えるために、９０％以上であることが望ましい。そのため、反射シート４は、例えば、鏡面反射を実現するための材料で構成されてもよい。反射シート４の存在により、導光板３から−Ｚ方向へ出射した光は、反射シート４に反射して、再び、導光板３に入射する。そのため、光の利用効率を向上させることができる。
【００５２】
（表示パネル）
表示パネル６は、前述したように、液晶表示パネルである。液晶表示パネルは、液晶材料の複屈折性を応用したパネルである。液晶表示パネルは、カラーフィルター基板と、ＴＦＴ基板と、スペーサーと、シール材と、液晶層と、配向膜と、偏光板とを含む。
【００５３】
カラーフィルター基板は、基板上に、カラーフィルター、遮光層、対向電等が形成されたものである。ＴＦＴ基板は、基板上に、薄型トランジスタを含む画素電極等が形成されたものである。以下においては、薄型トランジスタを、ＴＦＴ（Thin Film Transistor）ともいう。ＴＦＴは、基板上に設けられたスイッチング素子である。
【００５４】
カラーフィルター基板およびＴＦＴ基板は、対向するように設けられる。スペーサーは、カラーフィルター基板と、ＴＦＴ基板との間に、所定の間隔を作成するように設けられる。シール材は、カラーフィルター基板およびＴＦＴ基板を、互いに張り合わせるための部材である。液晶層は、カラーフィルター基板とＴＦＴ基板とにより挟持される。配向膜は、液晶層を構成する液晶を配向させるための膜である。偏光板は、特定の方向に振動する光のみを透過させる。
【００５５】
液晶表示パネルは、スイッチング素子（ＴＦＴ）をオン状態又はオフ状態に変化させることにより液晶層の液晶の配向を制御する。そして、液晶表示パネルは、当該液晶表示パネルに入射された光を、映像信号に合わせて変調する。これにより、液晶表示パネルは、画像の表示を行なう。
【００５６】
なお、表示パネル６は、液晶表示パネルに限定されず、例えば、字、絵が透明板に印刷された表示パネル等であってもよい。
【００５７】
（特徴的な構成）
次に、本実施の形態における特徴的な構成について詳細に説明する。図２に示すように、本実施の形態の光源装置１００の導光板周縁部には、突起部２１，２２が設けられる。突起部２１，２２は、表示パネル６から離れる方向（−Ｚ方向）へ向かう力を導光板３に発生させるための構成要素である。少し具体的には、突起部２１，２２は、反出射面３ｂの一部（中央部）が、表示パネル６から離れる方向（−Ｚ方向）へ向かうようにする力を、導光板３に発生させるように設けられる。
【００５８】
以下、詳細な構成について説明する。突起部２２は、導光板周縁部の出射面３ａを押圧するように設けられる。具体的には、突起部２２は、ミドルフレーム２から−Ｚ方向に突出するように、ミドルフレーム２に設けられる。なお、突起部２２は、ミドルフレーム２の一部が加工されたものであってもよい。
【００５９】
なお、突起部２２は、導光板周縁部からＺ方向に突出するように、導光板周縁部の反出射面３ｂに設けられてもよい。
【００６０】
突起部２１は、導光板周縁部の反出射面３ｂを押圧するように設けられる。具体的には、突起部２１は、リアフレーム５からＺ方向に突出するように、リアフレーム５に設けられる。また、突起部２１は、導光板周縁部の側面３ｃ側に設けられる。
【００６１】
なお、突起部２１は、導光板周縁部から−Ｚ方向に突出するように、導光板周縁部の反出射面３ｂに設けられてもよい。
【００６２】
以下においては、突起部２１により押圧される、反出射面３ｂの水平方向の位置を、位置Ｐ１ともいう。当該水平方向は、ＸＹ面に沿った方向である。また、以下においては、突起部２２により押圧される、出射面３ａの水平方向の位置を、位置Ｐ２ともいう。
【００６３】
なお、突起部２１と突起部２２とは、平面視で重ならない位置に設けられる。すなわち、位置Ｐ１と位置Ｐ２とは異なる。具体的には、位置Ｐ２は、位置Ｐ１よりも、平面視（ＸＹ面）における導光板３の中央部に近い。
【００６４】
以下においては、本実施の形態における突起部２１，２２の構成を、突起部構成Ｘ１ともいう。
【００６５】
以上説明したように、本実施の形態によれば、光源装置１００は、光源５０が出射する光を出射面３ａから出射する導光板３と、導光板３を収容するリアフレーム５と、を備える。導光板３の周縁部である導光板周縁部には、表示パネル６から離れる方向へ向かう力を導光板３に発生させるための突起部２１，２２が設けられる。
【００６６】
これにより、薄型化を妨げるような空間を設けることなく、導光板３が表示パネル６に接触すること抑制することができる。
【００６７】
また、突起部構成Ｘ１により、導光板３には、常に、反出射面３ｂ側に突出するように反るための力が加わる。すなわち、突起部構成Ｘ１は、導光板３が表示パネル６と接触しないように、導光板３に反りを与える構成である。そのため、比較例で説明したように、剛体であるリアフレーム５に、導光板３の反りを規制された状態でも、導光板３が、出射面３ａ側の方向へ、突出して反ることを抑制することができる。
【００６８】
その結果、導光板３の反りが発生しやすい高温度および高湿度の雰囲気においても、導光板３が、光学シート部１Ｓを介して、表示パネル６と接触することを防ぐことができる。したがって、表示装置２００の表示品位の低下を防止することができる。特に、突起部構成Ｘ１では、横電界方式の液晶表示パネルにおける表示品位の低下を防止（抑制）することができる。したがって、表示装置２００の表示品位を良好に保つことができる。
【００６９】
また、突起部構成Ｘ１により、前述の関連技術Ａ，Ｂのような構成を使用しない表示装置の厚みと同等の厚みで、表示装置を製造することができる。すなわち、突起部構成Ｘ１は、表示装置の薄型化の要請に適した構成である。以下においては、関連技術Ａ，Ｂのような構成を使用しない表示装置を、表示装置Ｎともいう。
【００７０】
また、前述のように、突起部２２を、ミドルフレーム２の一部が加工されたものとすることにより、表示装置Ｎの厚みと同等の厚みで、表示装置を製造することができる。
【００７１】
また、突起部構成Ｘ１により、導光板３に対し、厚み方向（Ｚ軸方向）に圧力が加わる。これにより、導光板３のガタツキを抑制することができる。
【００７２】
なお、従来の構成の表示装置に、横電界方式の液晶表示パネルを使用した構成において、導光板と表示パネルとが接触した場合、当該従来の表示装置の表示品位の低下が顕著になるという問題点がある。
【００７３】
なお、関連技術Ａでは、出射面側への導光板の反りを無くす技術は開示されていない。そのため、導光板が、仮に、反った場合、以下の問題点がある。当該問題点は、以下のとおりである。まず、反った導光板が、表示パネルに接触して表示パネルを押し上げる。その結果、フレーム等の他の部材に、表示パネルが接触して、表示パネルの表示品位が低下してしまう。また、関連技術Ａの構造は、表示装置の薄型化の要請に反する構造である。
【００７４】
また、関連技術Ｂでも、関連技術Ａと同様、出射面側への導光板の反りを無くす技術は開示されていない。そのため、関連技術Ｂにおいても、関連技術Ａの上記問題点を有する。
【００７５】
そこで、本実施の形態は上記のように構成されるため、上記の問題点を解決することができる。
【００７６】
＜実施の形態１の変形例１＞
実施の形態１では、突起部２２は、図２のように、例えば、リアフレーム５に対し、別部材（突起、リブ等）として設ける構成としたが、この構成に限定されない。突起部２１と同じ機能を有する突起部を、例えば、リアフレーム５の一部により形成した構成としてもよい。
【００７７】
図３は、本発明の実施の形態１の変形例１に係る表示装置２００Ａの断面図である。図３を参照して、表示装置２００Ａは、図２の表示装置２００と比較して、光源装置１００の代わりに光源装置１００Ａを含む点が異なる。表示装置２００Ａのそれ以外の構成は、表示装置２００と同様なので詳細な説明は繰り返さない。
【００７８】
光源装置１００Ａは、図２の光源装置１００と比較して、突起部２１を備えない点が異なる。光源装置１００Ａのそれ以外の構成は、光源装置１００と同様なので詳細な説明は繰り返さない。
【００７９】
次に、本変形例の特徴的な構成について説明する。図３に示すように、リアフレーム５の一部は、屈曲している。これにより、リアフレーム５には、屈曲部５ｘが形成される。すなわち、屈曲部５ｘは、リアフレーム５の一部が屈曲した部分である。屈曲部５ｘは、前述の突起部２１と同じ機能を有する突起部である。すなわち、屈曲部５ｘは、反出射面３ｂを押圧するように設けられる。
【００８０】
以上説明したように、本変形例では、実施の形態１と同じ効果を得ることができる。また、光源装置１００Ａは、突起部２１を含まないため、実施の形態１の構成よりも、部材点数を削減することができる。したがって、光源装置１００Ａ（表示装置２００Ａ）の製造コストを低減させることができる。
【００８１】
＜実施の形態１の変形例２＞
図４は、本発明の実施の形態１の変形例２に係る表示装置２００Ｂの断面図である。図４を参照して、表示装置２００Ｂは、図２の表示装置２００と比較して、光源装置１００の代わりに光源装置１００Ｂを含む点が異なる。表示装置２００Ｂのそれ以外の構成は、表示装置２００と同様なので詳細な説明は繰り返さない。
【００８２】
光源装置１００Ｂは、図２の光源装置１００と比較して、突起部２１を備えない点が異なる。光源装置１００Ｂのそれ以外の構成は、光源装置１００と同様なので詳細な説明は繰り返さない。
【００８３】
なお、反射シート４は、導光板３の反出射面３ｂとリアフレーム５との間に設けられる。また、反射シート４は、導光板３の反出射面３ｂから出射した光を出射面３ａの方向へ反射させる。
【００８４】
次に、本変形例の特徴的な構成について説明する。図４に示すように、反射シート４の端部を折り返すことにより、突起部４ｘが形成される。突起部４ｘは、前述の突起部２１と同じ機能を有する突起部である。すなわち、突起部４ｘは、反出射面３ｂを押圧するように設けられる。
【００８５】
以上説明したように、本変形例では、実施の形態１と同じ効果を得ることができる。また、光源装置１００Ｂは、突起部２１を含まないため、実施の形態１の構成よりも、部材点数を削減することができる。したがって、光源装置１００Ｂ（表示装置２００Ｂ）の製造コストを低減させることができる。
【００８６】
また、反射シート４の折り返し構造は、リアフレーム５を製造するための金型の改造が必要な変形例１の構成より、安価で簡単に実現できる。したがって、光源装置１００Ｂ（表示装置２００Ｂ）の製造コストを、変形例１の構成よりもさらに低減させることができる。
【００８７】
＜実施の形態１の変形例３＞
図５は、本発明の実施の形態１の変形例３に係る表示装置２００Ｃの断面図である。図５を参照して、表示装置２００Ｃは、図２の表示装置２００と比較して、光源装置１００の代わりに光源装置１００Ｃを含む点が異なる。表示装置２００Ｃのそれ以外の構成は、表示装置２００と同様なので詳細な説明は繰り返さない。
【００８８】
光源装置１００Ｃは、図２の光源装置１００と比較して、突起部２１を備えない点と、導光板３の代わりに導光板３Ａを備える点とが異なる。光源装置１００Ｃのそれ以外の構成は、光源装置１００と同様なので詳細な説明は繰り返さない。
【００８９】
導光板３Ａは、導光板３と比較して、形状が異なる。導光板３Ａのそれ以外の構成は、導光板３と同様なので詳細な説明は繰り返さない。なお、平面視（ＸＹ面）における導光板３Ａの形状は、矩形である。以下においては、導光板３Ａの周縁部を、導光板周縁部ともいう。
【００９０】
次に、本変形例の特徴的な構成について説明する。図５に示すように、導光板３Ａの導光板周縁部のうち反出射面３ｂ側の一部により、突起部３ｘが形成される。具体的には、突起部３ｘは、導光板周縁部の側面３ｃ側の一部が−Ｚ方向へ突出するように形成されたものである。
【００９１】
突起部３ｘは、前述の突起部２１と同じ機能を有する突起部である。すなわち、突起部３ｘは、反出射面３ｂの一部（中央部）が、表示パネル６から離れる方向（−Ｚ方向）へ向かうようにする力を、導光板３に発生させるように設けられる。
【００９２】
以上説明したように、本変形例では、実施の形態１と同じ効果を得ることができる。また、光源装置１００Ｃは、突起部２１を含まないため、実施の形態１の構成よりも、部材点数を削減することができる。したがって、光源装置１００Ｃ（表示装置２００Ｃ）の製造コストを低減させることができる。
【００９３】
なお、上記の変形例１〜３では、突起部２１と同じ機能を有する突起部の構成について説明したが、これに限定されない。例えば、前述の突起部２２と同じ機能を有する突起部を、突起部２２を使用せずに、設ける構成としてもよい。以下においては、前述の突起部２２と同じ機能を有する突起部を、突起部ｘａともいう。
【００９４】
例えば、光学シート部１Ｓを構成する複数の光学シート１の一部により、突起部ｘａを形成する。以下においては、突起部ｘａを形成する、複数の光学シート１の一部を、シート突起部ともいう。シート突起部を構成する光学シート１の数は、１または複数である。シート突起部は、光学シート部１Ｓを構成する複数の光学シート１のうち、出射面３ａに近い１枚以上の光学シート１により構成される。
【００９５】
平面視（ＸＹ平面）におけるシート突起部のサイズは、当該シート突起部が、突起部２２が配置対象とされる位置まで到達するように、拡大される。これにより、シート突起部は、図２の突起部２２と同様に、ミドルフレーム２と導光板周縁部の出射面３ａとに挟まれる。この構成により、シート突起部に対し、厚み方向（Ｚ軸方向）に圧力がかかる。そのため、シート突起部を含む光学シート部１Ｓのガタツキを抑制することができる。
【００９６】
＜実施の形態２＞
図６は、本発明の実施の形態２に係る表示装置２００Ｄの断面図である。図６を参照して、表示装置２００Ｄは、図２の表示装置２００と比較して、光源装置１００の代わりに光源装置１００Ｄを含む点が異なる。表示装置２００Ｄのそれ以外の構成は、表示装置２００と同様なので詳細な説明は繰り返さない。
【００９７】
光源装置１００Ｄは、図２の光源装置１００と比較して、突起部２２が配置される位置が異なる。光源装置１００Ｄのそれ以外の構成は、光源装置１００と同様なので詳細な説明は繰り返さない。
【００９８】
なお、ミドルフレーム２は、リアフレーム５と係合することにより、導光板３を保持する。以下においては、開口Ｈ２に接する、ミドルフレーム２の端部を、開口側端部ともいう。開口側端部は、開口Ｈ２に接する側面２ｃを有する。
【００９９】
次に、本変形例の特徴的な構成について説明する。図６に示すように、突起部２２は、光学シート部１Ｓを介して、出射面３ａを押圧するように設けられる。具体的には、突起部２２は、光学シート部１Ｓに接するように、開口側端部に形成される。すなわち、突起部２２は、当該突起部２２と出射面３ａとにより光学シート部１Ｓ（光学シート１）が挟まれるように、設けられる。
【０１００】
ここで、導光板３に加わる力のモーメントＮについて説明する。力のモーメントＮは、物体を回転させようとする能力である。具体的には、力のモーメントＮは、導光板３を反出射面３ｂ側に反らせようとする能力である。力のモーメントＮは、以下の式１により表現される。
【０１０１】
Ｎ＝ｒ×Ｆ  …（式１）
式１において、「ｒ」は、作用線と回転の中心との距離である。具体的には、「ｒ」は、突起部２２の水平方向の位置と、突起部２１の水平方向の位置との間の距離である。式１において、「Ｆ」は、力の大きさである。具体的には、「Ｆ」は、ミドルフレーム２が、導光板３を押圧する力である。
【０１０２】
式１において、Ｆを一定と考えた場合、本実施の形態２の構成の方が、図２〜図５の構成よりも、ｒが大きくなる。そのため、力のモーメントＮも、本実施の形態２の構成の方が、図２〜図５の構成よりも大きくなる。
【０１０３】
以上説明したように、本実施の形態では、上記のように構成されるため、実施の形態１と同じ効果を得ることができる。
【０１０４】
また、本実施の形態によれば、狭額縁を実現するために、以下の状況Ａにおいても、実施の形態１と同様な構成を実現することができる。状況Ａの一例は、領域Ｒ１１を殆ど設けることが出来ない状況である。状況Ａの他の例は、領域Ｒ１１を全く設けることが出来ない状況である。
【０１０５】
以下においては、導光板３が反出射面３ｂ側に突出するように反るための力を、反出射面方向反り力ともいう。反出射面方向反り力は、導光板３に対し常に加わる力である。
【０１０６】
また、本実施の形態によれば、突起部２２の水平方向の位置と、突起部２１の水平方向の位置とを、実施の形態１よりも、離すことができる。すなわち、突起部２２の水平方向の位置と、突起部２１の水平方向の位置との間の距離を、実施の形態１よりも、大きくすることができる。
【０１０７】
これにより、前述したように、導光板３に加わる力のモーメントＮを大きくすることができる。その結果、本実施の形態の構成によれば、反出射面方向反り力を、実施の形態１よりも強くすることができる。
【０１０８】
また、本実施の形態によれば、突起部２２により、光学シート部１Ｓに対し、厚み方向（Ｚ軸方向）に圧力が加わる。これにより、光学シート部１Ｓのガタツキを抑制することができる。
【０１０９】
＜実施の形態３＞
図７は、本発明の実施の形態３に係る表示装置２００Ｅの断面図である。図７を参照して、表示装置２００Ｅは、図２の表示装置２００と比較して、光源装置１００の代わりに光源装置１００Ｅを含む点が異なる。表示装置２００Ｅのそれ以外の構成は、表示装置２００と同様なので詳細な説明は繰り返さない。
【０１１０】
光源装置１００Ｅは、図２の光源装置１００と比較して、導光板３の代わりに導光板３Ｂを備える点が異なる。光源装置１００Ｅのそれ以外の構成は、光源装置１００と同様なので詳細な説明は繰り返さない。
【０１１１】
導光板３Ｂは、導光板３と比較して、形状が異なる。導光板３Ｂのそれ以外の構成は、導光板３と同様なので詳細な説明は繰り返さない。なお、平面視（ＸＹ面）における導光板３Ｂの形状は、矩形である。
【０１１２】
以下においては、導光板３Ｂの周縁部を、導光板周縁部ともいう。また、以下においては、導光板３Ｂが反出射面３ｂ側に突出するように反るための力を、反出射面方向反り力ともいう。
【０１１３】
ここで、ミドルフレーム２の構成について詳細に説明する。ミドルフレーム２は、上側保持部２ｕと、支持部２ｄとを含む。上側保持部２ｕは、Ｘ軸方向に延在する。上側保持部２ｕは、突起部２２を介して、導光板３Ｂの出射面３ａを押圧する部分である。
【０１１４】
支持部２ｄは、Ｚ軸方向に延在する。Ｚ軸方向に延在する支持部２ｄは、Ｘ軸方向に延在する上側保持部２ｕと一体化される。すなわち、支持部２ｄは、当該支持部２ｄの側面に加わる力を上側保持部２ｕに伝達するように、上側保持部２ｕと一体化される。なお、上側保持部２ｕには、実施の形態１と同様、突起部２２が設けられる。
【０１１５】
以上の構成により、ミドルフレーム２は、支持部２ｄの側面が押圧された場合、上側保持部２ｕに対し−Ｚ方向へ向かう力が発生するように構成される。すなわち、ミドルフレーム２は、当該ミドルフレーム２の側面（支持部２ｄの側面）に加わる力を、突起部２２に伝達するように構成される。
【０１１６】
次に、本変形例の特徴的な構成について説明する。図７に示すように、導光板３Ｂは、突起部３ｘａを含む。突起部３ｘａは、導光板３Ｂの導光板周縁部のうち、当該導光板周縁部の側面３ｃ側の一部により形成される。具体的には、突起部３ｘａは、導光板３Ｂの導光板周縁部の側面３ｃ側の一部がミドルフレーム２（支持部２ｄ）に向かって突出するように形成されたものである。突起部３ｘａは、ミドルフレーム２の側面（支持部２ｄの側面）に接触するように設けられる。
【０１１７】
ここで、以下の状況Ｂが発生したとする。状況Ｂは、例えば、導光板３Ｂが膨張することにより、導光板３ＢのＸＹ面のサイズが大きくなったという状況である。導光板３Ｂの膨張は、導光板３Ｂに熱が加わった場合、導光板３Ｂの湿気を吸う吸湿が発生した場合等に生じる。
【０１１８】
上記の状況Ｂにおいて、突起部３ｘａは、支持部２ｄの側面を押圧する。これにより、上側保持部２ｕにおいて−Ｚ方向へ向かう力が発生する。そのため、突起部２２が、出射面３ａを押圧する力が大きくなる。すなわち、反出射面方向反り力が大きくなる。そのため、状況Ｂにおける反出射面方向反り力を、実施の形態１よりも強くすることができる。
【０１１９】
以上説明したように、本実施の形態では、上記のように構成されるため、実施の形態１と同じ効果を得ることができる。また、導光板３Ｂが膨張するという状況Ｂにおける反出射面方向反り力を、実施の形態１よりも強くすることができる。
【０１２０】
＜実施の形態４＞
図８は、本発明の実施の形態４に係る表示装置２００Ｆの断面図である。なお、図８では、構成を分かり易くするために、光源５０は図示していない。図８を参照して、表示装置２００Ｆは、図２の表示装置２００と比較して、光源装置１００の代わりに光源装置１００Ｆを含む点が異なる。表示装置２００Ｆのそれ以外の構成は、表示装置２００と同様なので詳細な説明は繰り返さない。
【０１２１】
光源装置１００Ｆは、図２の光源装置１００と比較して、粘着部材１０をさらに備える点が異なる。光源装置１００Ｆのそれ以外の構成は、光源装置１００と同様なので詳細な説明は繰り返さない。粘着部材１０は、例えば、両面テープ、接着材等である。
【０１２２】
次に、本変形例の特徴的な構成について説明する。図８に示すように、導光板３は、粘着部材１０により、リアフレーム５と接着される。
【０１２３】
以上説明したように、本実施の形態では、上記のように構成されるため、実施の形態１と同じ効果を得ることができる。すなわち、導光板３に反出射面方向反り力を発生せることができる。また、導光板３が、粘着部材１０により、リアフレーム５と接着される。そのため、反出射面方向反り力を、実施の形態１よりも強くすることができる。
【０１２４】
（変形例Ａ）
本変形例では、上記の実施の形態１、実施の形態１の変形例１〜３、実施の形態２，３における変形構成について説明する。
【０１２５】
以下においては、実施の形態１の変形例１における、図３に示される突起部の構成を、突起部構成Ｘ１ａともいう。また、以下においては、実施の形態１の変形例２における、図４に示される突起部の構成を、突起部構成Ｘ１ｂともいう。また、以下においては、実施の形態１の変形例３における、図５に示される突起部の構成を、突起部構成Ｘ１ｃともいう。
【０１２６】
また、以下においては、実施の形態２における、図６に示される突起部の構成を、突起部構成Ｘ２ともいう。また、以下においては、実施の形態３における、図７に示される突起部の構成を、突起部構成Ｘ３ともいう。また、以下においては、実施の形態４における、図８に示される突起部の構成を、突起部構成Ｘ４ともいう。
【０１２７】
また、以下においては、導光板３、導光板３Ａおよび導光板３Ｂの各々を、導光板３ｎともいう。また、以下においては、平面視（ＸＹ面）における導光板３ｎの形状である矩形を、矩形ＳＨ１ともいう。
【０１２８】
突起部構成Ｘ１，Ｘ１ａ，Ｘ１ｂ，Ｘ１ｃ，Ｘ２，Ｘ３，Ｘ４の各々は、矩形ＳＨ１の少なくとも１辺側に設けられる構成としてもよい。
【０１２９】
例えば、突起部構成Ｘ１，Ｘ１ａ，Ｘ１ｂ，Ｘ１ｃ，Ｘ２，Ｘ３，Ｘ４の各々は、矩形ＳＨ１の１辺側に設けられる構成（以下、変形構成Ａ１という）としてもよい。例えば、変形構成Ａ１を適用した実施の形態１では、突起部２１，２２は、矩形ＳＨ１の１辺側に対応する導光板周縁部に設けられる。
【０１３０】
これにより、導光板３ｎには、常に、反出射面３ｂ側に突出するように反るための力が加わる。そのため、前述した効果が得られる。以下においては、導光板３ｎが反出射面３ｂ側に突出するように反るための力を、反出射面方向反り力ともいう。反出射面方向反り力は、導光板３ｎに対し常に加わる力である。
【０１３１】
また、突起部構成Ｘ１，Ｘ１ａ，Ｘ１ｂ，Ｘ１ｃ，Ｘ２，Ｘ３，Ｘ４の各々は、矩形ＳＨ１の隣り合う２辺側に設けられる構成（以下、変形構成Ａ２という）としてもよい。例えば、変形構成Ａ２を適用した実施の形態１では、突起部２１，２２は、矩形ＳＨ１の隣り合う２辺側の各々に対応する導光板周縁部に設けられる。
【０１３２】
また、突起部構成Ｘ１，Ｘ１ａ，Ｘ１ｂ，Ｘ１ｃ，Ｘ２，Ｘ３，Ｘ４の各々は、矩形ＳＨ１の対向する２辺側に設けられる構成（以下、変形構成Ａ３という）としてもよい。例えば、変形構成Ａ３を適用した実施の形態１では、突起部２１，２２は、矩形ＳＨ１の対向する２辺側の各々に対応する導光板周縁部に設けられる。
【０１３３】
変形構成Ａ２，Ａ３のように、矩形ＳＨ１の複数の辺側に、突起部構成Ｘ１を設けることにより、反出射面方向反り力が増加する。これにより、変形構成Ａ２，Ａ３は、変形構成Ａ１と同等以上の効果を得ることができる。
【０１３４】
なお、狭額縁の要求などにより、表示装置の構造によっては、矩形ＳＨ１の１辺側全体に、例えば、突起部構成Ｘ１を設けることができない場合がある。この場合、突起部構成Ｘ１，Ｘ１ａ，Ｘ１ｂ，Ｘ１ｃ，Ｘ２，Ｘ３，Ｘ４の各々を、矩形ＳＨ１の少なくとも１辺側の一部に設けても、上記と同等の効果を得ることができる。特に、導光板３の反りの量は、矩形ＳＨ１の１辺側の中央部において、最も大きくなる。
【０１３５】
そのため、例えば、突起部構成Ｘ１，Ｘ１ａ，Ｘ１ｂ，Ｘ１ｃ，Ｘ２，Ｘ３，Ｘ４の各々は、矩形ＳＨ１の１辺側のうち、当該１辺の中央部に設けられる構成（以下、変形構成Ａ４という）としてもよい。例えば、変形構成Ａ４を適用した実施の形態１では、突起部２１，２２が、矩形ＳＨ１の１辺側のうち、当該１辺の中央部に設けられる。
【０１３６】
なお、突起部構成Ｘ１，Ｘ１ａ，Ｘ１ｂ，Ｘ１ｃ，Ｘ２，Ｘ３，Ｘ４の各々において、反出射面３ｂ側の突起部の高さを、反射シート４の厚みより大きくした構成（以下、変形構成Ａ５という）としてもよい。例えば、変形構成Ａ５を適用した実施の形態１では、反出射面３ｂ側の突起部は、突起部２１である。この構成により、反出射面方向反り力を、より強くすることができる。
【０１３７】
なお、本発明は、その発明の範囲内において、各実施の形態、各実施の形態の変形例を自由に組み合わせたり、各実施の形態、各実施の形態の変形例を適宜、変形、省略することが可能である。
【０１３８】
例えば、図６に示される突起部構成Ｘ２は、突起部構成Ｘ１，Ｘ１ａ，Ｘ１ｂ，Ｘ１ｃ，Ｘ３，Ｘ４のいずれに対して、適用してよい。例えば、突起部構成Ｘ２は、突起部構成Ｘ１ａに適用してもよい。
【０１３９】
また、例えば、図７に示される突起部構成Ｘ３は、突起部構成Ｘ１，Ｘ１ａ，Ｘ１ｂ，Ｘ１ｃ，Ｘ２，Ｘ４のいずれに対しても、適用してよい。例えば、突起部構成Ｘ３は、突起部構成Ｘ１ａに適用してもよい。
【０１４０】
また、例えば、図８に示される突起部構成Ｘ４は、突起部構成Ｘ１，Ｘ１ａ，Ｘ１ｂ，Ｘ１ｃ，Ｘ２，Ｘ３のいずれに対しても、適用してよい。例えば、突起部構成Ｘ４は、突起部構成Ｘ１ａに適用してもよい。
【０１４１】
また、突起部構成Ｘ１，Ｘ１ａ，Ｘ１ｂ，Ｘ１ｃ，Ｘ２，Ｘ３，Ｘ４は、３つ以上組み合わせてもよい。例えば、突起部構成Ｘ３および突起部構成Ｘ４は、突起部構成Ｘ１ａに適用してもよい。
【符号の説明】
【０１４２】
１  光学シート、１Ｓ  光学シート部、２  ミドルフレーム、３，３Ａ，３Ｂ  導光板、３ｘ，３ｘａ，４ｘ，２１，２２  突起部、４  反射シート、５  リアフレーム、６  表示パネル、７  フロントフレーム、１０  粘着部材、５０  光源、１００，１００Ｎ，１００Ａ，１００Ｂ，１００Ｃ，１００Ｄ，１００Ｅ，１００Ｆ  光源装置、２００，２００Ａ，２００Ｂ，２００Ｃ，２００Ｄ，２００Ｅ，２００Ｆ，１０００  表示装置。
【図１】
2015176786.tif 000003
【図２】
2015176786.tif 000004
【図３】
2015176786.tif 000005
【図４】
2015176786.tif 000006
【図５】
2015176786.tif 000007
【図６】
2015176786.tif 000008
【図７】
2015176786.tif 000009
【図８】
2015176786.tif 000010
【図９】
2015176786.tif 000011